(57)【要約】【課題】  名刺の形式あるいはデコレーションの位置を変更しても、デコレーションと本体部との位置関係を良好に保った状態とできるネームプレートを提供すること。【解決手段】  本発明のネームプレートには、名刺を装着可能な本体部１と、この本体部１に対して縦位置または横位置に固定可能な取付部２とが設けられている。取付部２の一端には、外方に向かって組付片１０が突設されており、本体部１には、この組付片１０を組付可能な組付孔部８、９が設けられている。名刺が横形式の場合には、組付片１０を第１組付孔部８に組付ける。一方、名刺が縦形式の場合には、組付片１０を第２組付孔部９に組付ける。いずれの位置においても、取付部２が本体部１から飛び出す長さが、ほぼ同一とされているので、良好な使い勝手となる。【選択図】        図６
2008051891.tif 000002
【特許請求の範囲】
【請求項１】
名刺を装着可能な本体部と、この本体部に対して少なくとも縦位置または横位置に固定可能なデコレーションの取付部とを設けたことを特徴とするネームプレート。
【請求項２】
前記取付部を前記本体部に対して縦位置または横位置としたときに、前記取付部が前記本体部から飛び出す長さが、ほぼ同一とされていることを特徴とする請求項１に記載のネームプレート。
【請求項３】
前記取付部が前記本体部から飛び出す長さが可変とできるように構成されていることを特徴とする請求項１に記載のネームプレート。
【請求項４】
前記取付部には、デコレーションを組付可能な装飾用位置決部が設けられていることを特徴とする請求項１〜請求項３のいずれか一つに記載のネームプレート。
【発明の詳細な説明】
【技術分野】
【０００１】
本発明は、デコレーションを組付可能なネームプレートに関する。
【背景技術】
【０００２】
一般に会議・パーティなどのように多くの者が出席する席においては、各出席者の身分を表示するために、名刺等のカードを装着したネームプレートを胸部に取り付けておくことが多い。ここで、名刺には用紙を縦長にして縦書きする縦形式と、横長にして横書きする横形式とがあるため、両者に対応できるように工夫されたネームプレートがある（特許文献１）。
更に、就任披露パーティ、授賞記念パーティなどの席においては、就任者・受賞者等の特定の者を明確にするために、胸部などに生花・造花・水引などのデコレーションを付けることがある。そこで、ネームプレートとデコレーションを共に胸部に付けようとすると、両者が不用意に重なり合ってしまうことがある。また、ネームプレートとデコレーションの二つを取り付けるのは煩雑である。
【０００３】
【特許文献１】特開平１１−９５６６２号公報
【発明の開示】
【発明が解決しようとする課題】
【０００４】
上記特許文献１には、縦形式及び横形式のいずれの名刺にも対応できる技術が開示されているものの、デコレーションに対する工夫は盛り込まれていない。
本発明は、上記した問題に鑑みてなされたものであり、その目的は、名刺の縦横形式に対応できると共に、デコレーションの位置を変更しても、デコレーションと本体部との位置関係を良好に保った状態とできるネームプレートを提供することである。
【課題を解決するための手段】
【０００５】
本発明者らは上記課題を解決すべく鋭意検討を重ねた結果、名刺を装着可能な本体部に対して、縦位置または横位置のいずれにも固定可能なデコレーションの取付部を設けたネームプレートを開発することに成功し、基本的には本発明を完成するに至った。
こうして、第１の発明に係るネームプレートは、名刺を装着可能な本体部と、この本体部に対して少なくとも縦位置または横位置に固定可能なデコレーションの取付部とを設けたことを特徴とする。
本体部の材質については、特に制限されないが、例えば透明のプラスチックで構成することができる。また、本体部としては、名刺の前面全体を覆う構成とする必要はなく、名刺の二辺或いは四辺を支持する枠状に構成することもできる。
【０００６】
本体部と取付部とは、一体に組み付けて構成することもできるし、分離可能な二体として構成することもできる。
縦位置とは、本体部を縦長としたときに、その上辺または下辺から取付部を延出させる位置を意味している。また、横位置とは、本体部を横長としたときに、その上辺または下辺から取付部を延出させる位置を意味している。
本発明において、デコレーションとは、例えば造花・生花・水引等のように、会議・パーティ等への参加者を装飾するために用いられるものを意味している。
本発明によれば、名刺が縦形式または横形式のいずれにおいても、デコレーションを装着可能なネームプレートを提供することができる。このため、従来のようにネームプレートとデコレーションとを別々に取り付ける必要がなく、かつ両者が胸元などの取付位置において不要に重なり合うことがないので、良好なネームプレートとなる。
【０００７】
ところで、本発明のネームプレートを用いる際は、パーティ・会議等が始まる前に、予めデコレーションと取付部とを一体に組み付けておくことが望まれる。すなわち、パーティ等においては、全体の受付時間が、せいぜい３０分間程度であることから、その場で使用者の名刺の形式（縦形式、或いは横形式）に応じて、本体部の縦横を決定し、デコレーションを取付部に取付け、更にこれと本体部とを組付けるという作業は繁雑に過ぎるからである。この場合に、取付部にデコレーションを取り付けた状態で、そのネームプレートを配布しようとすると、使用者が名刺の形式に応じて、取付部と本体部との位置関係（つまり、縦横の関係）を変更する必要が生じることがある。
【０００８】
ここで本体部の形状は、名刺の形状に合わせられているため、正方形ではないことから、取付部の本体部に対する回転中心を本体部の中央にとった場合には、取付部が本体部から飛び出す長さが一定ではなくなってしまう。そうすると、デコレーションと本体部との位置関係が、名刺の縦横形式によって異なってしまうため、デコレーションの位置が本体部から間延びした位置にきたり、デコレーションと本体部とが重なり合うという事態が生じてしまう。つまり、縦形式の名刺を基準としてデコレーションを取付部に取付け、これを本体部と一体化した場合には、取付部を横方向に回転させると、デコレーションが必要以上に本体部から飛び出し、間延びしてしまう。一方、横形式の名刺を基準としてデコレーションを取付部に取付け、これを本体部と一体化した場合には、取付部を縦方向に回転させると、デコレーションと本体部とが重なり合ってしまう。
【０００９】
この問題を解決するには、（１）取付部を本体部に対して縦位置または横位置としたときに、取付部が本体部から飛び出す長さが、ほぼ同一となるように構成するか、（２）取付部が本体部から飛び出す長さが可変とできるように構成するという方式が考えられる。
上記（１）の方式を採用するための構成としては、（Ａ）取付部と本体部とを回動可能かつ一体に組み付ける場合には、取付部の回動中心を本体部の一隅から本体部の内側方向に４５°の方向に引いた仮想的な半直線上に配置する構成とする（例えば、第２実施形態を参照）、または（Ｂ）取付部と本体部とを分離可能な二体とする場合には、取付部と本体部との組付位置が、（１）の関係を満たすような構成とする（例えば、第１実施形態を参照）、などが提案される。
【００１０】
また、上記（２）の方式を採用するための構成としては、取付部と本体部とを回動可能かつ一体に組み付けておき、取付部の基端部（本体部との組付部位）の位置を可変に配置する構成などがある（例えば、第３実施形態を参照）。
こうして、第１の発明においては、前記取付部を前記本体部に対して縦位置または横位置としたときに、前記取付部が前記本体部から飛び出す長さが、ほぼ同一とされていることが好ましい。
「ほぼ同一」とは、実質的に同じ長さという意味であり、具体的にはデコレーションと本体部との位置関係が、縦位置と横位置とで実用上は、ほとんど変わらないということを意味している。
【００１１】
また、第１の発明においては、取付部が本体部から飛び出す長さが可変とできるように構成されていることが好ましい。
このような構成とすれば、デコレーションと取付部とを組み付けた後にも、取付部と本体部の位置関係を変更したとしても、デコレーションと本体部の位置関係を良好に保った状態とすることができる。
【００１２】
また、第１の発明において、前記取付部には、デコレーションを組付可能な装飾用位置決部が設けられていることが好ましい。
このような構成とすれば、デコレーションを取付部に取り付ける際に、作業性が良好となる。なお、装飾用位置決部とは、デコレーションを組み付けるために予め設けられた位置のことを意味しており、例えば突部、凹部、孔部などが例示される。
【発明の効果】
【００１３】
本発明によれば、名刺が縦形式あるいは横形式のいずれであっても、デコレーションを装着可能なネームプレートを提供できる。また、名刺の形式に関わらず、デコレーションと本体部との位置関係を良好に保った状態とできるネームプレートを提供できる。このため、パーティなどの会場においても、円滑に利用することができる。
【発明を実施するための最良の形態】
【００１４】
次に、本発明の実施形態について、図面を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶものである。
【００１５】
＜第１実施形態＞
図１〜図８を参照しつつ、本発明の第１実施形態について詳細に説明する。
まず、図１〜図３を参照しつつ、各部材の構成について説明する。本実施形態においては、本体部１と取付部２とは、組付け及び分離が可能な二体物として構成されている。なお、本明細書中の実施形態においては、多くの部材が透明な材料で形成されている。このため、逆の面側にある構成についても、図面中には実線で示されている。各構成がいずれの面側にあるかは、明細書の記載を読めば、当業者であれば容易に理解されるであろう。
本体部１は、透明なプラスチックにより弾性変形可能とされており、名刺６よりも一回り大きな長方形状に形成されている。本体部１には、ほぼ同形状の表面３及び裏面４が設けられている。両面３、４のうち、長辺（図１において上辺）を除く３辺部分は、薄板５を介して接着固定されている。接着されていない長辺部分は、名刺装着口７として開放されており、ここから名刺６の着脱を行うことができる。
【００１６】
裏面４の中央付近には、縦横にそれぞれ一対の組付孔部８、９が設けられている。両組付孔部８、９には、後述する取付部２の組付片１０が挿入可能とされている。第１組付孔部８は、長辺方向に沿って対向する一対の細長い溝状に形成されている。第１組付孔部８は、本体部１の長辺において、ほぼ中間位置を挟んで設けられている。各第１組付孔部８は、本体部１の外方に向かうに連れて外方に広がる台形状とされている。
また、第２組付孔部９は、短辺方向に沿って対向する一対の細長い溝状に形成されている。第２組付孔部９は、本体部１の短辺において、ほぼ中間位置を挟んで設けられている。各第２組付孔部９は、本体部１の外方に向かうに連れて外方に広がる台形状とされている。
【００１７】
両組付孔部８、９の中間位置は、一致しておらず、一対の第２組付孔部９が第１組付孔部８の片方（図１において左側）を挟む位置とされている。これは、第１組付孔部８の上端位置から本体部１における名刺装着口７までの距離Ｌと、第２組付孔部９の左端位置から本体部１の左短辺までの距離Ｍとを実質的に一致させるための構成である。
取付部２は、透明なプラスチックにより弾性変形可能とされており、略細板状に形成されている。本実施形態のネームプレートに用いるデコレーションの大きさには、様々なものがあるので、取付部２の長さは最も大きなデコレーションを選択し得るように、長めに作成しておくことが好ましい。取付部２の一端部には、左右外方に向かって組付片１０が突設されている。
【００１８】
組付片１０は、先細状に形成されており、本体部１の組付孔部８、９に挿入可能とされている。また、取付部２のほぼ中央には、長さ方向に沿って、一定間隔で位置決孔部１１（本発明における装飾用位置決部に該当する）が設けられている。この位置決孔部１１には、例えば水引１２の尾部１２Ａ、生花の茎などの細長いものを通すことにより、デコレーションの位置を決めつつ組付けを行うことができる。
図３中の符号１４は、固定用部材である。この固定用部材１４は、ネームプレートを衣服に取り付けるためのクリップ部１５と、安全ピン１６とを備えている。固定用部材１４の裏面（図３に示す面とは、逆の面側）には、両面テープが貼り付けられており、デコレーションの大きさに応じて、取付部２の適当な位置に固定用部材１４を固定することができる。
【００１９】
上記のように構成された本実施形態においては、本体部１と取付部２とは、次のように二つの位置に組付けられる。
すなわち、名刺６が横形式（用紙を横長として、横書きの形式）の場合には、図４に示すように、取付部２の組付片１０を第１組付孔部８に挿入することで、取付部２を本体部１に対して横位置に固定する。一方、名刺６が縦形式の場合には、図５に示すように、取付部２の組付片１０を第２組付孔部９に挿入することで、取付部２を本体部１に対して縦位置に固定する。このとき、両組付孔部８、９の位置は、本体部１の端縁からの距離Ｌ及びＭがほぼ同一となるように設定されている。このため、取付部２を本体部１に対して、縦位置または横位置としたときに、取付部２が本体部１から飛び出す長さＰ及びＱは、ほぼ同一とされている。
【００２０】
実際にデコレーションとして造花１３を使用する場合には、例えば次のような手順で組付けを行うことができる。
まず、造花１３の大きさを決定する。参加者の立場、パーティ等の規模などに応じて、様々な大きさの造花１３が用意されている。
次に、必要な組数の本体部１と取付部２とを用意し、組付片１０を組付孔部８、９に挿入することで、縦位置または横位置の適当な位置に組み付ける。この場合には、全てのネームプレートを同一位置（例えば、横位置）に組み付けても良く、或いは適当な割合で縦位置或いは横位置に組み付けても良い。
次に、図６に示すように、造花１３の裏面側を、例えば両面テープ・接着剤等で、取付部２の適当な位置（一般的には、造花１３の下端縁が本体部１の端縁と同じとなる位置か、それよりも造花１３が僅かに本体部１から離れる程度の位置）に固定する。なお、図中の矢印Ａは、取付部２を本体部１に対して、横位置または縦位置に回転して取付可能であることを意味している。
なお、もし取付部２の自由端が造花１３の上端縁から大きくはみ出しているようであれば、その自由端２Ａを適当な位置で切り取る（図７を参照）。
【００２１】
次に、取付部２の裏面側（造花１３を固定していない面側）において、上端付近に固定用部材１４を固定する。こうして、図７に示すように、ネームプレートの組付操作を完了する。
パーティ等の受付場においては、このようにして組み付けたネームプレートを参加者に手渡す。本体部１と取付部２とは、予め縦位置または横位置に組み付けられているが、使用する名刺６の形式によっては、その組付位置を変更しなければならない事態が生じる。このときには、組付片１０を組付孔部８または９から取外し、名刺６の形式に合った位置となるようにして、取付部２の位置を回転させて、再び組付片１０を組付孔部８または９に組付ける。
【００２２】
本実施形態では、取付部２が本体部１から飛び出す長さが、ほぼ同一となるように設定されている。このため、本体部１と取付部２とを縦位置または横位置のいずれに置いたとしても、本体部１と造花１３との位置関係には変更がなく、そのまま良好に使用することができる。
なお、デコレーションとして、水引１２または生花（或いは、ある種の造花）のように、細長い部分（尾部１２Ａ或いは茎）を備えたものを用いる場合には、図７に示すように、尾部１２Ａ（或いは茎）を適当な位置の位置決孔部１１に挿入して用いることができる。このとき尾部１２Ａ（或いは茎）が長すぎる場合には、本体部１の裏面側の適当な位置で切断する。実際に使用している際には、その切断位置は、名刺６によって隠されるので、見栄えは良好となる。また、自由端２Ａが長すぎる場合には、前述と同様にして、適当な位置で切断することもできる。
【００２３】
このように、本実施形態では、位置決孔部１１が設けられているので、特に細長い部分を備えたデコレーションを取付部２に取り付けるときの作業性が良好となる。
本実施形態では、装飾用位置決部（位置決孔部１１）は、細長い部分を備えたデコレーションに好適に用いることができるが、本発明によれば、例えばデコレーションである造花の裏面側（取付部に取り付けられる面側）に突部を設けておき、位置決孔部１１に嵌込む構成とすることもできる。
また、本実施形態では、本体部１と取付部２との固定位置は、縦位置と横位置との二位置であったが、本発明によれば、更に別の位置（例えば、斜め位置：取付部が本体部の斜め方向に飛び出す位置）において本体部と取付部との固定位置を設けることもできる。
【００２４】
＜第２実施形態＞
次に、図９及び図１０を参照しつつ、第２実施形態について説明する。なお、本実施形態と第１実施形態とにおいて、同一の作用を備えた構成については、同一の符号を付して説明を省略する。
本実施形態の本体部１と取付部２とは、予め回動可能かつ一体に組み付けられている。すなわち、取付部２の一端部が回動中心となる回動部２０とされている。回動部２０は、本体部１と取付部２とを回動可能に固定している。この回動部２０は、所定の角度（例えば約１５度）毎に適当な節度感を備えつつ、本体部１と取付部２とを適度な力で固定することができる。
【００２５】
回動部２０は、本体部１の一隅２１から本体部１の内側方向に４５°の方向に引いた仮想的な半直線２２の上に配置されている。このため、取付部２を横位置（図９において、実線で示す位置）または縦位置（図９において、一点鎖線で示す位置）としたときに、取付部２が本体部１から飛び出す長さＰ、Ｑが、ほぼ同一となる。なお、図中の矢印Ｂは、取付部２が本体部１に対して、回転可能であることを示している。
このように構成された本実施形態においても、第１実施形態と同様の作用及び効果を奏することができる。
【００２６】
また、本実施形態においては、図１０に示すように、本体部１から斜め方向に飛び出す位置においても、取付部２の位置を固定することができる。このため、デコレーションの位置をバリエーションを持って決定することができるので、より使い出の良いネームプレートとすることができる。
なお、本実施形態では、クリップ部１５及び安全ピン１６を回動部２０に設けたが、第１実施形態と同様に固定用部材１４を取付部２の先端位置に固定するようにしてもよい。
【００２７】
＜第３実施形態＞
次に、図１１及び図１２を参照しつつ、第３実施形態について説明する。なお、本実施形態と第１実施形態とにおいて、同一の作用を備えた構成については、同一の符号を付して説明を省略する。
本実施形態においても、本体部１と取付部２とは、予め回動可能かつ一体に組み付けられている。回動中心となる回動部３０は、本体部１のほぼ中央位置に取り付けられており、本体部１と取付部２とを回動可能としている。この回動部３０は、所定の角度（例えば約１５度）毎に適当な節度感を備えつつ、本体部１と取付部２とを適当な力で固定することができる。なお、図中の矢印Ｃは、取付部２が本体部１に対して、回転可能であることを示している。
【００２８】
回動部３０の内部には、取付部２を長さ方向に移動可能とするスライド溝３１が設けられている。図１１および図１２中における矢印Ｘは、取付部２がスライド移動可能な方向を示している。また、回動部３０には、取付部２の位置決めを行うネジ止め部材３２が設けられている。ネジ止め部材３２は、回動部３０に設けられたネジ穴に対して、組み付けられることで、取付部２を適度に押圧し、位置決めを行う。具体的には、ネジ止め部材３２の取付部２に対する押圧を開放した状態で、取付部２をスライド溝３１に沿って移動させ、適当な位置でネジ止め部材３２をネジ組付することで、取付部２の位置決めを行う。
【００２９】
このように構成された本実施形態においても、第１実施形態および第２実施形態と同様の作用及び効果を奏することができる。
なお、本実施形態では、クリップ部１５及び安全ピン１６を回動部３０に設けたが、第１実施形態と同様に固定用部材１４を取付部２の先端位置に固定するようにしてもよい。
【図面の簡単な説明】
【００３０】
【図１】第１実施形態における本体部の裏面図である。
【図２】本体部の側面図である。
【図３】取付部および固定用部材を示す図である。
【図４】本体部と取付部とを横位置に組み付けたときの様子を示す図である。
【図５】本体部と取付部とを縦位置に組み付けたときの様子を示す図である。
【図６】ネームプレートにデコレーションを取り付けたときの様子を示す正面図である。
【図７】ネームプレートの組付を完了したときの様子を示す裏面図である。
【図８】デコレーションとして水引を使用する際の取付部への組付方法を説明する図である。
【図９】第２実施形態におけるネームプレートを示す裏面図である。
【図１０】本体部と取付部とを斜め位置で固定したときの様子を示す裏面図である。
【図１１】第３実施形態におけるネームプレートを示す裏面図である。本体部と取付部とは、横位置において固定されている。
【図１２】本体部と取付部とを縦位置において固定したときの様子を示す裏面図である。
【図１】
2008051891.tif 000003
【図２】
2008051891.tif 000004
【図３】
2008051891.tif 000005
【図４】
2008051891.tif 000006
【図５】
2008051891.tif 000007
【図６】
2008051891.tif 000008
【図７】
2008051891.tif 000009
【図８】
2008051891.tif 000010
【図９】
2008051891.tif 000011
【図１０】
2008051891.tif 000012
【図１１】
2008051891.tif 000013
【図１２】
2008051891.tif 000014